(57)【要約】【課題】売り手側に該当商品の買取を保証するととともに、可能な限り高い値で売却させることを可能にする。【解決手段】売り手と買い手との間に仲介者が介在する中古品の売買システムにおいて、売り手及び買い手が該当物件の希望価格を登録する手段と、仲介者が該当物件を引取り、検品を行い、売り手に買取保証額を提示する手段と、売り手と買い手との間で価格交渉を行うマッチング処理手段と、一定期間の間でマッチングしなかった場合に仲介者が該当物件を前記買取保証額で買い取る手段とを備える。【選択図】図１
2005157531.tif 000002
【特許請求の範囲】
【請求項１】
売り手と買い手との間に仲介者が介在する中古品の売買システムにおいて、売り手及び買い手が該当物件の希望価格を登録する手段と、仲介者が該当物件を引取り、検品を行い、売り手に買取保証額を提示する手段と、売り手と買い手との間で価格交渉を行うマッチング処理手段と、一定期間の間でマッチングしなかった場合に仲介者が該当物件を前記買取保証額で買い取る手段とを備えることを特徴とする中古品の売買システム。
【発明の詳細な説明】
【技術分野】
【０００１】
本発明は、中古品、特に放送、広告、映像等の業界で使用される流通性に乏しく且つ専門的で高価な中古品の売買システムに関する。
【背景技術】
【０００２】
従来、中古品の売買システムに関してはインターネットを利用したオークションシステムが広く知られている（例えば特許文献１参照）。しかしながら、放送、広告、映像等の業界で使用される流通性に乏しく且つ専門的で高価な中古品を、この種のオークションで売買しようとすると以下のような問題が生じる。
【０００３】
第１に、その商品の流通性が乏しく且つ専門的で高価なため、売り手と買い手の間で値段の折り合いが難しく、売却できなかったり低価格でしか売却できないという問題がある。第２に、買い手側でその商品の品質を確証する手段がないという問題がある。第３に、買い手側が代金を支払ったものの、商品が手に入らなかったりするという問題がある。
【０００４】
上記第２および第３の問題を解決するために、特許文献２においては、該当商品を仲介業者が預かるとともに代金決済をも仲介するシステムを提案している。
【特許文献１】特開２００１−３１２６２５
【特許文献２】特開２００３−５８７３８
【発明の開示】
【発明が解決しようとする課題】
【０００５】
しかしながら、上記特許文献２のシステムにおいても、売り手と買い手の間で直接、売買交渉を行うため、第１の問題、すなわち売り手と買い手の間で値段の折り合いが難しく、売却できなかったり低価格でしか売却できないという問題を有している。
本発明は、上記従来の問題を解決するものであって、売り手側に該当商品の売却を保証するととともに、可能な限り高い値で売却させることができる中古品の売買システムを提供することを目的とする。
【課題を解決するための手段】
【０００６】
そのために、本発明の中古品の売買システムは、売り手と買い手との間に仲介者が介在する中古品の売買システムにおいて、売り手及び買い手が該当物件の希望価格を登録する手段と、仲介者が該当物件を引取り、検品を行い、売り手に買取保証額を提示する手段と、売り手と買い手との間で価格交渉を行うマッチング処理手段と、一定期間の間でマッチングしなかった場合に仲介者が該当物件を前記買取保証額で買い取る手段とを備えることを特徴とする。
【発明の効果】
【０００７】
本発明によれば、売り手側に該当商品の買取を保証するととともに、可能な限り高い値で売却させることができる。
【発明を実施するための最良の形態】
【０００８】
以下、本発明の実施の形態を図面に基づいて説明する。図１は、本発明の中古品の売買システムの１実施形態を示す構成図である。本発明においては、仲介者（運用者）が構築したインターネット上のウエブサイトを介して、売り手、買い手および運用者の売買処理がなされる。
【０００９】
図１において、売り手側においては、購入希望情報の照会、売却希望物件の登録申請、売却希望物件の発送（引取り）、マッチング結果の参照、希望価格の変更、指値に対する承諾、入金の処理が行われる。
買い手側においては、商品の照会、購入希望商品の登録、マッチング結果の参照、マッチングした商品への指値、発注、支払、商品受領の処理が行われる。
運用者（仲介者）側においては、登録依頼の受付、見積査定の提示、売却希望物件の検品、ウエブサイトへの掲載、決済処理、買取りの処理が行われる。
以上の処理により、ウエブサイトには、購入希望情報、売却希望情報、受注処理画面が出力されるように構成している。
【００１０】
図２は、図１の中古品の売買システムの処理の流れを説明するための図、図３〜図１２は、図２の処理の具体例を示す図である。図２において、記号（ａ）〜（ｊ）は売り手、買い手、仲介者に表示されるパソコン画面の出力例を示している。
【００１１】
図２の画面（ａ）において、買い手、売り手ともにユーザ情報の登録を行う。即ち、図３の画面において、ユーザ登録画面を呼び出し、氏名、会社名、業種（右側のボタンをクリックすると業種名が選択できるようになっている）、住所、連絡先、ユーザＩＤ、パスワードを入力し、登録する。
【００１２】
次に、画面（ｂ）すなわち図４に示すログイン画面を呼び出し、登録したユーザＩＤ、パスワードを入力した後、ログインすると、画面（ｃ）の会員トップ画面（図５）が表示される。
【００１３】
図５の会員トップ画面には、現在の登録状況が表示されている。売却希望の登録においては、メーカー名、型番、品質の程度、売却希望価格が表示され、ここで価格変更またはキャンセルを行うことができる。売却希望物件のマッチングでは購入希望価格が表示され、ここで売却、価格変更を行うことができる。売却希望物件の登録申請では、売却希望価格に加えて買取保証額が表示され、ここで登録またはキャンセルを行うことができる。購入希望の登録では、メーカー名、型番、品質の程度、購入希望価格が表示され、ここで価格変更または削除を行うことができる。購入希望物件のマッチングおいては、売却希望価格が表示され、ここで「購入する」、「押さえる」、「指値する」を選択することができる。
【００１４】
図５の会員トップ画面の下部にある「売却希望物件の登録」を指定すると、画面（ｆ）が出力され、図６において、メーカー名、型番、品質の程度／使用状況など、売却希望価格を入力し登録申請をクリックすると、画面（ｈ）が出力され、図７に示す管理者用トップ画面が表示される。なお、管理者とは運用者あるいは仲介者である。管理者用トップ画面には、登録申請状況、未検品物件、未登録物件、期限が過ぎた売却希望物件のリストが表示されている。
【００１５】
図７の登録申請状況の物件に「見積りする」をクリックすると、画面（ｉ）すなわち図８に示す管理者用見積り画面が表示され、ここで管理者は見積価格を入力し、売り手側に送信する。売り手は当該物件を管理者に送付し、管理者は当該物件を検品し、管理者は画面（ｊ）すなわち図９に示す管理者用検品画面において、品質の程度と買取保証額を入力し売り手側に送信する。
【００１６】
売り手は、図５の会員トップ画面の売却希望物件の登録申請の欄を見て、売却希望価格を必要に応じて変更し、登録する。このときキャンセルをクリックすると該当物件は売り手側に返却される。以上の処理により、売り手と仲介者との間の売却希望物件の登録の処理が完了する。
【００１７】
次に買い手側の処理について説明する。図５の会員トップ画面の下部にある「購入希望物件の登録」をクリックすると、画面（ｅ）が出力され、図１０の画面でメーカー名、型番、品質の程度、購入希望価格、お待ちいただける期間を入力して登録する。登録すると、図５の会員トップ画面の購入希望物件のマッチングの欄で該当物件の一覧が表示され、ここで、売却希望価格が表示され、買いたい物件について「購入する」、「押さえる」、「指値する」を選択することができる。
【００１８】
図２のステップＳ１は、売り手と買い手との間で価格交渉を行うマッチング処理の手段であり、「購入する」を選択した場合には、そのまま成約、管理者へ支払、売り手へ支払、買い手が商品受領と進み、「押さえる」を選択した場合には、商談となり、成約に進む場合もあるし商談がまとまらずマッチングデータベースに戻る場合もある。「指値する」を選択した場合には希望価格の変更をし売り手の承諾を経て、成約に進む場合もあるしマッチングデータベースに戻る場合もある。
【００１９】
ステップＳ１のマッチング処理で一定期間の間でマッチングしなかった場合には、管理者は当該物件を予め提示した買取保証額で買取り、代金を売り手に支払う。
【００２０】
なお、売り手は、図２の（ｇ）において、購入希望物件の検索を行うことができる。すなわち、図５の会員トップ画面の下部にある「購入希望物件の検索」をクリックすると、画面（ｇ）すなわわち図１１の画面が表示され、カテゴリー（カメラ、ＶＴＲ、モニター、…）検索または型番検索を実行すると、検索結果として、メーカ名、型番、品質の程度、売却希望価格の一覧が表示される。
【００２１】
また、買い手は、図２の（ｄ）において、売却希望物件の検索を行うことができる。すなわち、図５の会員トップ画面の下部にある「売却希望物件の検索」をクリックすると、画面（ｄ）すなわわち図１２の画面が表示され、カテゴリー（カメラ、ＶＴＲ、モニター、…）検索または型番検索を実行すると、検索結果として、メーカ名、型番、品質の程度、売却希望価格の一覧が表示される。この画面においてもマッチング処理を行うことができる。
【図面の簡単な説明】
【００２２】
【図１】本発明の中古品の売買システムの１実施形態を示す構成図である。
【図２】図１の中古品の売買システムの処理の流れを説明するための図である。
【図３】図２の処理の具体例を示す図である。
【図４】図２の処理の具体例を示す図である。
【図５】図２の処理の具体例を示す図である。
【図６】図２の処理の具体例を示す図である。
【図７】図２の処理の具体例を示す図である。
【図８】図２の処理の具体例を示す図である。
【図９】図２の処理の具体例を示す図である。
【図１０】図２の処理の具体例を示す図である。
【図１１】図２の処理の具体例を示す図である。
【図１２】図２の処理の具体例を示す図である。
【図１】
2005157531.tif 000003
【図２】
2005157531.tif 000004
【図３】
2005157531.tif 000005
【図４】
2005157531.tif 000006
【図５】
2005157531.tif 000007
【図６】
2005157531.tif 000008
【図７】
2005157531.tif 000009
【図８】
2005157531.tif 000010
【図９】
2005157531.tif 000011
【図１０】
2005157531.tif 000012
【図１１】
2005157531.tif 000013
【図１２】
2005157531.tif 000014